(57)【要約】【課題】本発明が解決しようとする課題は、ペダルに付設する電球等の光源体を最小限に止める一方、反射方向をペダルの前後方向の側面と共に外側の側面にも照射できるようにすることにある。【構成】ペダル軸の軸受部３内に、相対的に回転する磁石とコイルを組み合わせたダイナモを備え、ペダル１の側面に光源５と反射板７を設け、ペダル１の回転によってダイナモを発電させて、光源５を点灯するようにした自転車用ペダルにおいて、ペダル１の外側面に光源５を設け、反射板７に、ペダルの外側面に沿って外側に凸に湾曲した反射板７を用い、この反射板７を介して光源５の発光をペダルの外側面側と、走行方向に沿う前後方向に反射させるようにした自転車用ペダル【選択図】　　　図１
2004034842.tif 000002
【特許請求の範囲】
【請求項１】
ペダル軸の軸受部内に、相対的に回転する磁石とコイルを組み合わせたダイナモを備え、ペダルの側面に光源と反射板を設け、ペダルの回転によってダイナモで発電させて、光源を点灯するようにした自転車用ペダルにおいて、ペダルの外側面に前記光源を設け、前記反射板に、上記ペダルの外側面に沿って外側に凸に湾曲した反射板を用い、この反射板を介して上記光源の発光をペダルの外側面側と共に、自転車の走行方向に沿う前後方向に反射させるように構成したことを特徴とする自転車用ペダル。
【請求項２】
前記ペダルの外側面に沿って外側に凸に湾曲した反射板は、内側の面を粗い凹凸面に形成した乱反射度の高い反射板を用いて、走行の前後方向と外側面側とに対する照明を平均化したことを特徴とする請求項１記載の自転車用ペダル。
【発明の詳細な説明】
【０００１】
【産業上の利用分野】
本発明は、自転車用のペダルに関し、ペダル内に備えたダイナモの発電により光源を点灯させて、通行者に注意を喚起させるように用いるもので、自転車の走行方向に沿って前後と側面のほぼ１８０°に点灯を知らせることができるようにしたことを特長とするものである。
【０００２】
【従来の技術】
従来、円周方向に多数の磁石のＮ極とＳ極を交互に配分し、外側に磁性体を配設してペダルの回転によりダイナモを発電させ、電球またはＬＥＤを発光させるようにした点灯式ペダルには、例えば特開平７−２９１１７４号公報、特許公表２００２−５０１８５８号公報、実用新案登録第３０８３９６３号公報がある。
【０００３】
【発明が解決しようとする課題】
上記従来の点灯式ペダルは、例えば実用新案登録第３０８３９６３号公報にあっては、照明の方向がペダルの前後方向の側面にあるので、走行方向の側面では無灯火状態になり、交差点、曲がり角では視認に遅れがでて衝突を起こす危険がある。
また、ペダルの前後方向の側面と左右の側面（外側の側面）とに方向を変えてそれぞれランプを取り付けた特開平７−２９１１７４号公報には、多数の光源を同時に点灯するためにペダルの負荷が多くなり、大きな労力を要することから不使用、無灯火で自転車が走行されるおそれがある。
このようなことから、本発明が解決しようとする課題は、電球等の光源体は最小限に止めて、反射方向をペダルの前後方向の側面と共に外側の側面にも照射できるようにすることにある。
【０００４】
【課題を解決するための手段】
そこで本発明は、上記の課題を解決するために、ペダル軸の軸受部内に、相対的に回転する磁石とコイルを組み合わせたダイナモを備え、ペダルの側面に光源と反射板を設け、ペダルの回転によってダイナモを発電させて、光源を点灯するようにした自転車用ペダルにおいて、ペダルの外側面に前記光源を設け、前記反射板に、上記ペダルの外側面に沿って外側に凸に湾曲した反射板を用い、この反射板を介して上記光源の発光をペダルの外側面側と共に、自転車の走行方向に沿う前後方向に反射させるように構成したことを特徴とする自転車用ペダルを提供するものである。
【０００５】
上記のように、ペダルの外側面に光源を設け、ペダルの外側面に沿って外側に凸に湾曲した反射板を介して照明するようにした本発明は、反射板の反射方向が自転車の走行方向の側面（外側面）に限らず、走行方向の前後方向にも及ぶので、１８０°の照明が可能になり、自転車の前後方向はいうまでもなく、交差点、曲がり角でいち早く通行者に点灯を視認させることができ、安全な走行を促すことができる。本発明は以上のようにして前記の課題を解決したものである。
【０００６】
ペダルの外側面に沿って外側に凸に湾曲した反射板は、内側の面を粗い凹凸面に形成した乱反射度の高い反射板を用いた請求項２記載の自転車用ペダルは、走行の前後方向と外側面方向とに対する照明が平均化するので、本発明に係るペダルを取り付けた自転車の夜間走行の安全性がよりいっそう向上する。
【０００７】
【実施例】
以下に本発明の実施例を図面について説明する。
図１は、本発明に係るペダルの一部切欠平面図、図２は、図１の右側面図、図３は、図１の左側面図である。
【０００８】
ペダル１は、左側面（図３参照）に設けた取付穴２に図示省略のペダル軸を螺合するように形成されており、同軸受部３の中に固定される。
また、軸受部３内には内側に永久磁石を軸と一体に固定し、外側にペダル１と一体回転するコイルを設けた従来公知のダイナモ（図示省略）が備えられている。そして、軸受部３の外端面（図示右側面）には、ダイナモに接続したソケット４が設けられており、光源としてランプ（電球）５が嵌着されている。ランプ５はペダル１の外枠６よりも外側になるの位置に嵌着されている。
【０００９】
ランプ５の外側（図１の右側）に適宜の間隙をおいて反射板７が固定されている。この反射板７は、図示のように外側に凸に湾曲していて、内側面は図示を省略しているが比較的に粗い凹凸面に形成した乱反射率の高いものが用いられている。
また、反射板７は、外枠６の側面の上下（図２の左右）に一体形成した取付枠部８の間に保持されている。この取付枠部８は、反射板７を破損から保護するガードを兼用している。
【００１０】
上記のように構成したこのペダル１は、夜間あるいは無照明の場所で走行すると、ダイナモの作動により点灯するランプ５の光が反射板７を透して自転車の走行方向の外側方と共に前後方向でも点灯状態が視認できる。
【００１１】
以上のように、本発明に係るペダル１は、自転車の片側当たり最小限１個のランプ５を点灯させるだけで外側方と前後方向で点灯の視認ができる。またランプ５の点灯は、外側に凸の反射板７を用いることにより外側方と前後方向の１８０°にわたってほぼ等しい明るさの照明が得られる。
なお、この実施例では光源体として電球を用いたが、本発明の実施に際しては従来の点灯式ペダルの場合と同様に、電球に変えてＬＥＤを発光させるようにする場合もある。
【００１２】
さらに、本発明の実施に際して、ペダルその他の態様は、図示した態様に限られるものではなく、本発明の要旨に沿って各部の態様を適宜に設計変更できることはいうまでもない。
【００１３】
【発明の効果】
前記のように構成され、上記のように用いられるようにした本発明によれば、反射板による反射光が自転車の走行方向の側面（外側面）と共に、走行方向の前後方向にも及ぶので、１８０°の照明が可能になり、自転車の走行方向に沿った前後はいうまでもなく、交差点、曲がり角で側面からいち早く通行者に点灯を視認させることができ、走行の安全性が向上する。
また、本発明によれば、点灯の反射方向が１８０°拡大するので、電球等の光源体を最小限に止められるので、発電に要する労力が少ない。そのため、無照明走行の解消にも貢献できるなどきわめて有用である。
【図面の簡単な説明】
【図１】図１は、本発明に係るペダルの一部切欠平面図
【図２】図２は、図１の右側面図
【図３】図３は、図１の左側面図である。
【符号の説明】
１　ペダル
２　取付穴
３　軸受部
４　ソケット
５　ランプ（光源体）
６　外枠
７　反射板
８　取付枠部
【図１】
2004034842.tif 000003
【図２】
2004034842.tif 000004
【図３】
2004034842.tif 000005